(57)【要約】【課題】ロック構造を備えていながら、外ハンドルを操作するだけでロック構造をロック解除し、さらに錠構造を解錠操作して障子を迅速に開放できるハンドル装置を備えている非常進入口用の窓を提供する。【解決手段】内外両ハンドル５・６とロック構造７とを備えている。外ハンドル６のハンドル軸３３とロック構造７のロック軸６７を変換機構を間に挟んで対向配置し、両軸３３・６７を変換機構に択一的に連結可能とする。外ハンドル６にハンドル軸３３を出退操作するカム機構を設ける。ロック構造７は、鍵体６８でロック状態とロック解除状態とに切り換えられるようにする。ロック状態のロック軸６７は、進出操作されて変換機構と係合連結する。外ハンドル６の前半の回動動作によってハンドル軸３３を進出させ、ロック軸６７と変換機構との係合状態を解除し、同時に変換機構と係合連結させる。外ハンドル６の後半の回動動作によってスライド枠４をスライド操作して錠構造を解錠する。【選択図】図１
2010047994.tif 000002
【特許請求の範囲】
【請求項１】
内外両ハンドル（５・６）でハンドル軸（１２・３３）と変換機構を介して往復スライド操作されるスライド枠（４）と、開口枠（１）とスライド枠（４）との間に設けられる錠構造と、スライド枠４をスライド不能にロック保持するロック構造（７）とを備えており、
外ハンドル（６）には、ハンドル軸（３３）を待機位置と連結位置との間で出退操作するカム機構が設けられており、
外ハンドル（６）のハンドル軸（３３）とロック構造（７）のロック軸（６７）とは、変換機構を間に挟んで対向配置されて、変換機構に対して択一的に連結でき、
ロック構造（７）は、着脱可能な鍵体（６８）でロック状態とロック解除状態とに切り換え可能に構成されて、ロック状態においてロック軸（６７）を変換機構と係合連結する位置へ進出操作でき、
外ハンドル（６）の前半の回動動作によって、ハンドル軸（３３）が連結位置に進出して、ロック軸（６７）と変換機構との係合状態を解除しながら変換機構と係合連結でき、
外ハンドル（６）の後半の回動動作によって、変換機構を介してスライド枠（４）をスライド操作して錠構造を解錠できることを特徴とするハンドル装置を備えている非常進入口用の窓。
【請求項２】
帯板状のベース（３）でスライド枠（４）が往復スライド自在に案内支持されて、ベース（３）の上下二個所に変換機構が固定されており、
変換機構が、ベース（３）に固定されるホルダー（１９）と、ホルダー（１９）で回動自在に支持されるピニオン（２０）と、スライド枠（４）に固定されるラック（２１）とで構成されており、
ピニオン（２０）に、ハンドル軸（１２）、およびハンドル軸（３３）とロック軸（６７）を係合連結するための連結穴（２６）が形成してある請求項１記載のハンドル装置を備えている非常進入口用の窓。
【請求項３】
外ハンドル（６）が、ハンドルレバー（２９）と、ハンドルケース（３０）と、ハンドルケース（３０）の内面に装着されるガイドボス（３１）と、ガイドボス（３１）で回転可能に支持されるカム筒（３２）と、カム筒（３２）の内部に配置されるハンドル軸（３３）と、ハンドル軸（３３）を出退操作するカム機構を含み、
カム筒（３２）は外ハンドルレバー（２９）と同行回転可能に連結されており、
カム機構が、カム筒（３２）に形成したカム溝（４０）と、ハンドル軸（３３）に固定されてカム溝（４０）で出退操作される受動ピン（４６）と、ハンドル軸（３３）に固定されてガイドボス（３１）のガイド溝（３７）でスライドのみ可能に案内される回止めピン（４７）とで構成されており、
ガイド溝（３７）に連続して、回止めピン（４７）の回動を許す切欠（３８）がガイドボス（３１）に形成してある請求項１または２に記載のハンドル装置を備えている非常進入口用の窓。
【請求項４】
ロック構造（７）が、ロックケース（６０）と、ロックケース（６０）の内部に設けたボス（６１）に収容されるばね（６３）および切換え具（６４）と、ロックケース（３０）の内面に係合装着されるガイドボス（６５）と、ガイドボス（６５）で回転自在に支持されるカム筒（６６）と、カム筒（６６）の内部に回転自在に収容されるロック軸（６７）と、切換え具（６４）を介してカム筒（６６）をロック状態とロック解除状態とに切り換える鍵体（６８）と、カム機構を含み、
カム機構が、カム筒（６６）の周面に形成されるカム溝（８３）と、ロック軸（６７）に固定されてカム溝（８３）と係合する受動ピン（８８）と、ロック軸（６７）に固定されてガイドボス（６５）のガイド溝（８１）でスライドのみ可能に案内される回止めピン（８９）とで構成されており、
ハンドル軸（３３）がロック軸（６７）をばね（６３）の付勢力に抗して変換機構から分離操作する状態において、ロック軸（６７）の分離スライド動作によってカム筒（６６）および切換え具（６４）をロック解除状態へ復帰できる請求項１、２または３に記載のハンドル装置を備えている非常進入口用の窓。
【発明の詳細な説明】
【技術分野】
【０００１】
本発明は、内部から施錠でき、外部からは通常の窓開閉動作と同様にロック状態を解除して室内へ侵入できるハンドル装置を備えている非常進入口用の窓に関する。
【背景技術】
【０００２】
非常進入口用のハンドル装置の基本構造は特許文献１に公知である。そこでは、内ハンドルで錠構造を解錠操作して非常進入口を開放でき、さらに火災などの非常時には、外ハンドルで錠構造を解錠操作して非常進入口を開放できる。外ハンドルを解錠操作するとき、内ハンドルは外ハンドルに連動して解錠方向へ回動する。因みに、市販されているこの種のハンドル装置においては、内ハンドルを着脱式にして、その使用を制限することが多いが、この種の着脱式のハンドル構造においては、操作途中に内ハンドルがハンドル軸から分離して落下するおそれがあり、安全性に問題のあることが指摘されている。
【０００３】
本発明のハンドル装置においては、ロック構造のロック軸がピニオンと係合する状態において、外ハンドルを回動操作すると、そのハンドル軸が進出スライドしてロック軸を係合穴から押し出してピニオンから分離させ、ハンドル軸がピニオンの係合穴と係合する。このように、対向配置した一対の軸をピニオンの係合穴と択一的に係合させることは特許文献２に公知である。
【０００４】
そこでは、内ハンドル側の軸がばねで進出付勢されて、施錠枠の係合穴と常時係合している。外ハンドル側の軸は、内ハンドル側の軸の突端に対向配置してあり、外ハンドルを回動することにより、外ハンドル側の軸が施錠枠の係合穴内に入り込んで、内ハンドル側の軸をばねの付勢力に抗して施錠枠の係合穴から押し出して分離する。このように、一対の軸を係合対象と択一的に係合させるのは、内ハンドルの回転動作を、ねじ軸とねじ軸に噛合う雌ねじ体によって往復動作に変換することに由来しており、外ハンドルで錠構造を解錠するとき内ハンドルを同行回動できないからである。
【０００５】
【特許文献１】特許第３２０３０４４号公報（第３頁第５欄１５〜１９行、図２）
【特許文献２】実公平０８−６９８９号公報（第３頁第６欄３３〜４８行、第３図）
【発明の開示】
【発明が解決しようとする課題】
【０００６】
非常進入口は、建物の３階以上の階に設けられるため、いたずらなどによってハンドル装置が室内側から開放されると転落のおそれがある。このような事故を防ぐために、非常進入口用のハンドル装置に内ハンドルの開放動作を規制するロック構造が付加される。このように、ロック構造が付加してあるハンドル装置においては、ロック構造を専用のハンドルやレバーでロック解除操作したのち、外ハンドルを開放操作しなければならず、非常進入口を開放するのに余分な手間が掛かる。また、専用のハンドルが非常進入口に常備してある場合には問題ないが、そうでない場合には板ガラスを破壊して進入しなければならず、非常進入口からの進入に手間取るおそれがある。安全上も問題がある。
【０００７】
本発明の目的は、ロック構造を備えているハンドル装置でありながら、外ハンドルを操作するだけでロック構造をロック解除操作し、さらに錠構造を解錠操作して障子を開放でき、従来装置に比べて解錠操作が容易で迅速に非常進入口を開放できるハンドル装置を備えている非常進入口用の窓を提供することにある。
【課題を解決するための手段】
【０００８】
本発明のハンドル装置を備えている非常進入口用の窓は、内外両ハンドル５・６でハンドル軸１２・３３と変換機構を介して往復スライド操作されるスライド枠４と、開口枠１とスライド枠４との間に設けられる錠構造と、スライド枠４をスライド不能にロック保持するロック構造７とを備えている。外ハンドル６には、ハンドル軸３３を待機位置と連結位置との間で出退操作するカム機構が設けてある。外ハンドル６のハンドル軸３３とロック構造７のロック軸６７とは、変換機構を間に挟んで対向配置されて、変換機構に対して択一的に連結できる。ロック構造７は、着脱可能な鍵体６８でロック状態とロック解除状態とに切り換え可能に構成されて、ロック状態においてロック軸６７を変換機構と係合連結する位置へ進出操作できる。以て、外ハンドル６の前半の回動動作によって、ハンドル軸３３が連結位置に進出して、ロック軸６７と変換機構との係合状態を解除しながら変換機構と係合連結でき、外ハンドル６の後半の回動動作によって、変換機構を介してスライド枠４をスライド操作して錠構造を解錠できることを特徴とする。
【０００９】
具体的には、帯板状のベース３でスライド枠４を往復スライド自在に案内支持し、ベース３の上下二個所に変換機構を固定する。変換機構は、ベース３に固定されるホルダー１９と、ホルダー１９で回動自在に支持されるピニオン２０と、スライド枠４に固定されるラック２１とで構成する。ピニオン２０に、ハンドル軸１２、およびハンドル軸３３とロック軸６７を係合連結するための連結穴２６を形成する。
【００１０】
外ハンドル６は、ハンドルレバー２９と、ハンドルケース３０と、ハンドルケース３０の内面に装着されるガイドボス３１と、ガイドボス３１で回転可能に支持されるカム筒３２と、カム筒３２の内部に配置されるハンドル軸３３と、ハンドル軸３３を出退操作するカム機構を含む。カム筒３２は外ハンドルレバー２９と同行回転可能に連結する。カム機構は、カム筒３２に形成したカム溝４０と、ハンドル軸３３に固定されてカム溝４０で出退操作される受動ピン４６と、ハンドル軸３３に固定されてガイドボス３１のガイド溝３７でスライドのみ可能に案内される回止めピン４７とで構成する。ガイド溝３７に連続して、回止めピン４７の回動を許す切欠３８をガイドボス３１に形成する。
【００１１】
ロック構造７は、ロックケース６０と、ロックケース６０の内部に設けたボス６１に収容されるばね６３および切換え具６４と、ロックケース６０の内面に係合装着されるガイドボス６５と、ガイドボス６５で回転自在に支持されるカム筒６６と、カム筒６６の内部に回転自在に収容されるロック軸６７と、切換え具６４を介してカム筒６６をロック状態とロック解除状態とに切り換える鍵体６８と、カム機構を含む。カム機構は、カム筒６６の周面に形成されるカム溝８３と、ロック軸６７に固定されてカム溝８３と係合する受動ピン８８と、ロック軸６７に固定されてガイドボス６５のガイド溝８１でスライドのみ可能に案内される回止めピン８９とで構成する。以て、ハンドル軸３３がロック軸６７をばね６３の付勢力に抗して変換機構から分離操作する状態において、ロック軸６７の分離スライド動作によってカム筒６６および切換え具６４をロック解除状態へ復帰させる。
【発明の効果】
【００１２】
本発明では、内ハンドル５および外ハンドル６とは別にロック構造７を設けて、錠構造が内ハンドル５でむやみに解錠操作されるのを防止できるようにした。そのうえで、火災などの非常時には、外ハンドル６を回動することで、まずロック構造７をロック解除状態に切り換え、さらに外ハンドル６を回動することで錠構造を解錠できるようにした。したがって、本発明のハンドル装置によれば、窓２を開放する手間を大幅に軽減して、例えば非常進入口からの進入を迅速に行なうことができる。また、外ハンドル６を操作するだけでロック構造７をロック解除操作し、さらに錠構造を解錠操作して窓２を開放できるので、ロック構造７をロック解除操作する専用のハンドルやレバーを用意する必要がなく、窓２の開放を迅速にしかも円滑に開放できる。
【００１３】
ピニオン２０とラック２１を変換要素とする変換機構によれば、ピニオン２０を内外両ハンドル５・６の回動量と同量ずつ回動させて、スライド枠４を内外両ハンドル５・６の回動量に合致して均等にスライド操作でき、例えば部分回動するレバーで回転運動を往復運動に変換する場合に比べて、内ハンドル５あるいは外ハンドル６による錠構造の解錠操作を円滑にしかも的確に行なえる。内ハンドル５用の変換機構と、外ハンドル６用の変換機構を共用する場合には、ハンドル装置の構成部品のうち共通部品が占める割合を高くして、ハンドル装置の製造に要するコストを節約できる。
【００１４】
ハンドルレバー２９を回動操作するとき、カム筒３２とハンドル軸３３との間に設けたカム機構でハンドル軸３３を出退移動させ、ハンドル軸３３が所定位置まで進出移動するまでの間、回止めピン４７をガイド溝３７で受け止める外ハンドル６によれば、ハンドル軸３３がピニオン２０の連結穴２６と係合するまでの間に回動するのを規制でき、したがって、進出操作されたハンドル軸３３を確実にピニオン２０の連結穴２６に係合連結できる。このとき、ピニオン２０の連結穴２６にロック軸６７が係合している場合には、ロック軸６７を連結穴２６から強制的に押し出して、ハンドル軸３３のみを連結穴２６に差し込み係合できる。したがって、ハンドル軸３３とロック軸６７が連結穴２６に同時に係合するのを一掃して、外ハンドル６によるロック構造７のロック解除を確実に行える。また、ガイド溝３７に連続して回止めピン４７の回動を許す切欠３８をガイドボス３１に設けるので、ハンドル軸３３が所定位置まで進出操作された後は、ハンドル軸３３をハンドルレバー２９と共に回動させて、スライド枠４を介して錠構造を円滑に解錠操作できる。
【００１５】
鍵体６８で切換え具６４を介してカム筒６６を回動操作するとき、カム筒６６とロック軸６７との間に設けたカム機構でロック軸６７を出退移動させ、ロック軸６７が所定位置まで進出移動するまでの間、回止めピン８９をガイド溝８１で受け止めるロック構造７によれば、ロック軸６７がピニオン２０の連結穴２６と係合するまでの間に回動するのを規制して、進出操作されたロック軸６７を確実に連結穴２６に係合連結できる。また、切換え具６４と、カム筒６６と、ロック軸６７の三者をばね６３で支持するので、ロック軸６７がハンドル軸３３で連結穴２６から強制的に押し出し操作されるときの退入動作をばね６３で吸収して、連結穴２６に対するハンドル軸３３とロック軸６７の入れ替り動作を円滑に行なえる。さらに、ロック軸６７が連結穴２６から分離操作するときの分離スライド動作によって、カム筒６６および切換え具６４をロック解除状態へ復帰させるので、たとえ解錠後のハンドルレバー２９が施錠方向へ戻されたとしても、ロック構造７が再びロック状態に戻ることはなく、したがってロック構造７をロック解除したのちは、窓２を自由に開閉できる状態に維持できる。
【発明を実施するための最良の形態】
【００１６】
（実施例）  図１ないし図１２は本発明に係るハンドル装置を備えている非常進入口用の窓の実施例を示す。図２において符号１は非常進入口の開口枠、符号２は開口枠を開閉する窓（障子）である。四角形状に形成される窓２は、その一側に設けたヒンジ３を介して建物内へ向かって開放揺動でき、窓２と開口枠１との間に設けたハンドル装置によって閉じ状態を保持できる。
【００１７】
図３においてハンドル装置は、窓２の側端面に固定される帯板状のベース３と、ベース３で上下スライド自在に案内支持される帯板状のスライド枠４と、窓２の内外に設けられる内ハンドル５および外ハンドル６と、内外両ハンドル５・６の回動動作を往復動作に変換してスライド枠４に伝える変換機構と、外ハンドル６と対向する状態で窓枠内面に配置されるロック構造７と、開口枠１とスライド枠４との間に設けられる錠構造などで構成する。スライド枠４の上下端には錠止ピン８が固定してある。内ハンドル５は、窓２の中途部下方に配置され、外ハンドル６とロック構造７とは内ハンドル５より上方において内外に対向する状態で配置してある。
【００１８】
図４において内ハンドル５は、ハンドルレバー１０と、プラスチック成形品からなるハンドルケース１１と、ハンドル軸１２と、ハンドル軸１２と同行回転する節動リング１３と、クリック機構などで構成する。ハンドルレバー１０のレバーボス１０ａは、ハンドルケース１１の中央に設けたボス穴１１ａに嵌め込み装着されて回転自在に軸支してある。ハンドル軸１２の一端は節動リング１３を介してハンドルレバー１０に固定され、他端は変換機構のピニオン２０に係合連結される。
【００１９】
クリック機構は、ハンドルケース１１と一体に成形されて両持ち支持される弾性変形可能な節動体（図示していない）と、先の節動リング１３とで構成する。節動リング１３の周面には、４個の節動溝１５が凹み形成してあり、ハンドルレバー１０を９０度回転操作するごとに、節動体の中央内面に設けた突起が節動溝１５に落ち込み係合してハンドルレバー１０を位置保持する。なお節動体は、後述する別の節動体５４と同じ構造である。
【００２０】
図４および図５において変換機構は、ベース３にかしめ固定される一対のホルダー１９と、両ホルダー１９の間に配置されるピニオン２０と、スライド枠４に固定されるラック２１とで構成する。ホルダー２０の対向壁面には軸受穴２２が開口してあり、一方のホルダー２０の軸受穴２２でピニオン２１が回動自在に支持してある。軸受穴２２の両側には、ビス挿通穴とねじ穴とが形成してある。ピニオン２１は扇形に形成してあり、その円弧周面に５個のギヤ歯２５が形成され、軸受穴２２で支持される円形壁の中央に四角形の連結穴２６が形成してある。なお、内ハンドル５のハンドル軸１２が連結される変換機構と、外ハンドル６のハンドル軸３３が連結される変換機構は同じ構造である。
【００２１】
図６において外ハンドル６は、ハンドルレバー２９と、プラスチック成形品からなるハンドルケース３０と、ハンドルケース３０の内面に係合装着されるガイドボス３１と、ガイドボス３１で回転自在に支持されるカム筒３２と、カム筒３２の内部に回転自在に収容されるハンドル軸３３と、ハンドルレバー２９のレバーボス２９ａに係合連結される節動リング３４と、カム機構およびクリック機構などで構成する。ハンドルレバー２９のレバーボス２９ａは、ハンドルケース３０の中央に設けたボス穴３０ａに嵌め込み装着されて回転自在に軸支してある。
【００２２】
ガイドボス３１は、ボスの一端に四角形のベースを一体に備えたプラスチック成形品からなり、ベースの内面４箇所にハンドルケース３０に係合装着される連結脚３６が突設してある。ボスの対向壁には、後述する回止めピン４７をスライドのみ可能に案内するガイド溝３７と、回止めピン４７の回動を許す切欠３８とが形成してある。切欠３８はガイド溝３７に連続して扇形に形成してあり、これにより、回止めピン４７およびハンドル軸３３は、切欠３８の範囲内で９０度回転変位できる。
【００２３】
カム筒３２は金属製の円筒体からなり、その筒壁の対向面に一対の螺旋状のカム溝４０が形成してある。ハンドルレバー２９のレバーボス２９ａと対向するカム筒３２の筒端部には、等間隔おきに４個の受動爪４１が形成され、他方の筒端部には回止めピン４７を受け入れる逃げ凹部４２が切り欠き形成してある。図７に示すようにレバーボス２９ａの端面には、一対の駆動突起４３が突設してあり、これらの駆動突起４３と先の受動爪４１とが係合することにより、ハンドルレバー２９の回動動作をカム筒３２に伝動できる。
【００２４】
ハンドル軸３３は断面が四角形状の金属軸からなり、その外面にプラスチック製のブッシュ４５が外嵌装着してある。ハンドル軸３３とカム筒３２とガイドボス３１の三者は次のように組む。まず、ブッシュ４５が装着されたハンドル軸３３をカム筒３２の内部に嵌め込み、受動ピン４６をカム溝４０を介してハンドル軸３３に貫通状に打ち込んで、ハンドル軸３３とカム筒３２を一体化する。この状態のカム筒３２をガイドボス３１のボス穴に差し込み装填し、回止めピン４７を切欠３８においてブッシュ４５およびハンドル軸３３に貫通状に打ち込む。
【００２５】
上記の組み付け状態では、回止めピン４７がガイド溝３７の奥端で受け止められ、あるいはブッシュ４５がガイドボス３１のボス穴の端部４８で受け止められるので、ハンドル軸３３やカム筒３２がガイドボス３１から分離することはなく、三者をユニット部品として扱うことができる。この状態のガイドボス３１をハンドルケース３０に組み付けることにより、カム筒３２をレバーボス２９ａの駆動突起４３に係合連結できる。上記のカム溝４０と、受動ピン４６と、回止めピン４７によってカム機構が構成してある。
【００２６】
節動リング３４は、円形のリング部と、リング部を直径に沿って横断する一文字状の枠部５１と、枠部５１の片面に突設される角軸５２とを一体に備えたプラスチック成形品からなる。角軸５２はレバーボス２９ａの端面に凹み形成した係合穴２９ｂに差し込み係合してあり、これにより節動リング３４はハンドルレバー２９と同行回転できる。クリック機構は、ハンドルケース３０と一体に成形されて両持ち支持される弾性変形可能な節動体５４と、先の節動リング３４とで構成する。図７に示すように節動リング３４の周面には、４個の節動溝５５が凹み形成してあり、ハンドルレバー２９を９０度回転操作するごとに、節動体５４の中央内面に設けた突起５６が節動溝５５に落ち込み係合して、ハンドルレバー２９を位置保持する。なお、内ハンドル５のハンドルケース１１と一体に設けられる節動体は、節動体５４と同じ構造に形成してあり、突起５６と同じ突起が一体に設けてある。
【００２７】
図９においてロック構造７は、プラスチック成形品からなるロックケース６０と、ロックケース６０の内部に設けたボス６１に収容される表示枠６２、ばね６３、および切換え具６４と、ロックケース３０の内面に係合装着されるガイドボス６５と、ガイドボス６５で回転自在に支持されるカム筒６６と、カム筒６６の内部に回転自在に収容されるロック軸６７と、切換え具６４を介してカム筒６６をロック状態とロック解除状態とに切り換える鍵体６８（図１２参照）と、カム機構およびクリック機構などで構成する。ボス６１の外端には、鍵体６８を差し込むための鍵開口６９が開口してある。
【００２８】
表示枠６２は円形のリングからなり、その対向周面に連動脚７１が突設され、リング部の外面にロック状態およびアンロック状態であることを示す指標７２が異なる色で表示してある。アンロック状態であることを示す指標７２は青色のシールで形成され、ロック状態であることを示す指標７２は赤色のシールで形成してある。ばね６３は圧縮コイル形のばねからなり、切換え具６４を鍵開口６９から遠ざかる向きへ移動付勢する。ロックケース６０の突端には、指標７２を視認するための表示窓７０が開口してある。
【００２９】
切換え具６４は多段ボス状に形成してあり、先のばね６３で受け止められる側のボスの内部中央に断面六角形の操作軸７４が突設してある。ボスの大径部分の周面には、連動脚７１と係合する一対の係合溝７５と、節動突起７６とが形成してある。この節動突起７６と、ロックケース６０のボス６１の内面４箇所に凹み形成した節動溝７７とでクリック機構を構成している。切換え具６４を鍵体６８でロック状態とアンロック状態とに切り換えるごとに、節動突起７６が節動溝７７に落ち込み係合して、切換え具６４の切り換え状態を保持できる（図８参照）。
【００３０】
ガイドボス６５は、ボスの一端に四角形のベースを一体に備えたプラスチック成形品からなり、ベースの内面２個所にロックケース６０に係合装着される連結脚８０が突設してある。ボスの対向壁には、後述する回止めピン８９をスライドのみ可能に案内するガイド溝８１が形成してある。
【００３１】
カム筒６６は先に説明したカム筒３２と同じ部品であり、その筒壁の対向面に一対の螺旋状のカム溝８３が形成してある。切換え具６４と対向するカム筒６６の筒端部には、等間隔おきに４個の受動爪８４が形成され、他方の筒端部には回止めピン８９を受け入れる逃げ凹部８５が切り欠き形成してある。図８に示すように受動爪８４は、切換え具６４に設けた係合枠８６と係合しており、これによりカム筒６６は切換え具６４と同行回転できる。
【００３２】
ロック軸６７は断面が四角形状の金属軸からなり、その外面にプラスチック製のブッシュ８７が外嵌装着してある。ロック軸６７とカム筒６６とガイドボス６５の三者は、次のように組む。まず、ブッシュ８７が装着されたロック軸６７をカム筒６６の内部に嵌め込み、受動ピン８８をカム溝８３を介してロック軸６７に貫通状に打ち込んで、ロック軸６７とカム筒６６を一体化する。この状態のカム筒６６をガイドボス６５のボス穴に差し込み装填し、回止めピン８９をガイド溝８１を介してブッシュ８７およびロック軸６７に貫通状に打ち込む。
【００３３】
上記の組み付け状態では、回止めピン８９がガイド溝８１の奥端およびボス端で受け止められるので、ロック軸６７やカム筒６６がガイドボス６５から分離することはなく、三者をユニット部品として扱うことができる。この状態のガイドボス６５をロックケース６０に組み付けることにより、カム筒６６を切換え具６４に連動可能に連結できる。上記のカム溝８３と、受動ピン８８と、回止めピン８９によってカム機構が構成してある。
【００３４】
図１２に示すように鍵体６８は、つまみ部９１と軸部９２とを一体に備えたプラスチック成形品からなり、軸部９２の突端に切換え具６４の操作軸７４に差し込み係合される連結穴９３が形成してある。鍵体６８は、非常進入口の管理者によって保管されており、通常の状態においては、切換え具６４をロック状態に切り換えたのち、ロック構造７から取り外して所定の保管場所に保管される。錠構造は、図３に示すようにスライド枠４の上下端に固定した錠止ピン８と、開口枠１に固定されて錠止ピン８と係合する逆Ｌ字状の受金具９５とで構成する。
【００３５】
なお、内ハンドル５は、ハンドルケース１１が窓２の縦枠内面に接当する状態で組み付けられて、ハンドルケース１１に挿通したビス１８を縦枠内部のねじ板１７（図１０参照）にねじ込むことにより窓２に固定してある。また、外ハンドル６とロック構造７は、図１に示すように、ハンドルケース３０およびロックケース６０に挿通したビス９８・９９を、ホルダー１９のねじ穴、およびねじボス１００にねじ込むことにより、窓２および変換機構に固定される。ハンドルケース１１・３０、およびロックケース６０の外面は金属製の化粧キャップで覆ってある。ベース３は窓２の縦枠の側端面にビス１０１で固定される。
【００３６】
次に、内外両ハンドル５・６とロック構造７との動作を説明する。常態における内外両ハンドル５・６は、図１０に示すようにそれぞれのハンドルレバー１０・２９がハンドルケース１１・２８の下方に伸びている。この状態では、図３に示すように錠止ピン８は受金具９５と係止しており、したがって内ハンドル５を開放操作しない限りは窓２を開放することはできない。
【００３７】
窓２を錠構造で施錠した状態において、切換え具６４を鍵体６８で時計回転方向へ回動操作してロック状態に切り換えると、カム筒６６が切換え具６４に同行回動して、そのカム溝８３が受動ピン８８をピニオン２０へ向かって進出操作する。そのため、ロック軸６７は図１０に示すようにピニオン２０の連結穴２６と係合する。この状態のロック軸６７の突端は、外ハンドル６のハンドル軸３３の突端と僅かな隙間を介して対向している。また、ロック軸６７は回止めピン８９を介して、ガイドボス６５のガイド溝８１で受け止め係合されているため、ロック軸６７が回転することはない。この状態で内ハンドル５を回転操作しようとすると、その力は内ハンドル５側のピニオン２０とラック２１、およびスライド枠４を介して、ロック構造７側のラック２１およびピニオン２０へと伝動される。しかし、先に説明したようにロック軸６７が回止めピン８９を介して、ガイドボス６５のガイド溝８１で受け止め係合されているため、内ハンドル５を回動操作することはできず、いたずら等などによって窓２が開放されることはない。なお、切換え具６４がロック状態に切り換わるのと同時に、表示枠６２が同行回転して赤色の指標７２が視認窓７０を介して表示される。
【００３８】
窓２の清掃を行なうような場合には、図１２に示すように切換え具６４を鍵体６８で半時計回転方向へ回動操作してロック解除状態に切り換える。すると、カム筒６６が切換え具６４に同行回動して、そのカム溝８３が受動ピン８８をピニオン２０から遠ざかる向きへ退入させるので、ロック軸６７は連結穴２６から抜け出る。この状態で図２に想像線で示すように、内ハンドル５を反時計回転方向へ９０度だけ回動操作すると、ピニオン２０がハンドル軸３３で回動操作されて、ラック２１を介してスライド枠４が下方へ移動操作される。これにより錠止ピン８と受金具９５との係合状態を解除されるので、窓２を開放できる。
【００３９】
火災などの非常時には、外ハンドル６を内ハンドル５の開放方向と同じ向きに回動操作する。外ハンドル６を下向きに伸びる不使用状態から、時計回転方向へ９０度回動操作すると、カム筒３２がハンドルレバー２９に同行回動して、そのカム溝４０が受動ピン４６をピニオン２０へ向かって進出操作する。そのため、ハンドル軸３３はばね６３の付勢力に逆らいながらロック軸６７およびカム筒６６を押し戻して、図１１（ａ）に示すように連結穴２６から押し出され、ハンドル軸３３がロック軸６７に変わって連結穴２６と係合する。つまり、外ハンドル６でロック構造７のロック状態を解除できる。このとき、回止めピン８９はガイド溝８１で受け止められているので、ロック軸６７が回転することはなく、カム筒６６はばね６３の付勢力に逆らいながら退入する。カム筒６６が退入する過程では、ばね６３が圧縮変形されてばね力が増加し、このばねの反発力によってカム溝８３が受動ピン８８に押し付けられる。そのため、カム筒６６は節動突起７６と節動溝７７との係合力に打ち勝って、アンロック状態側へ回転して図１１（ａ）に示すようにリセットされる。外ハンドル６と内ハンドル５とは、スライド枠４と、ピニオン２０およびラック２１を介して繋がっているので、外ハンドル６が回動するとき、内ハンドル５も同時に回動する。
【００４０】
ハンドルレバー２９を不使用状態から９０度回動操作した状態においては、回止めピン４７が切欠３８に臨んでいる（図１１（ａ）参照）。したがって、引き続きハンドルレバー２９を同じ方向へ９０度回動操作すると、図１１（ｂ）に示すようにハンドル軸３３およびカム筒３２が回動してピニオン２０を同行回動し、ラック２１を介してスライド枠４を下向きにスライド移動させる。したがって錠止ピン８と受金具９５との係合状態を解除して窓２を開放できる。
【００４１】
以上のように、本発明のハンドル装置によれば、外ハンドル６の前半の回動動作によって、ロック構造７をロック解除状態に切り換え、同時にハンドル軸３３を連結位置に切り換えてピニオン２０と係合できる。また、外ハンドル６の後半の回動動作によって、変換機構を介してスライド枠４をスライド操作して錠構造を解錠できる。なお、ロック構造７のロック解除と錠構造の解錠とは、ハンドルレバー２９の連続した回動操作の中で連続して行なわれるので、使用者は意識してハンドルレバー２９を９０度ずつ回動操作する必要はなく、単に待機状態のハンドルレバー２９を一気に１８０度回動操作すれば、一連の動作でロック解除と錠構造の解錠とを行なうことができる。
【００４２】
上記のように、本発明のハンドル装置は、外ハンドル６を不使用位置から１８０度回転操作するだけで、ロック構造７をロック解除状態に切り換え、さらに錠構造を解錠できるので、窓２を開放する手間を大幅に軽減して、非常進入口からの進入を迅速に行なうことができる。また、ロック構造をロック解除操作する専用のハンドルやレバーを用意する必要がないので、必要時には誰もが非常進入口を開放して、被災者の救助活動や脱出支援を行なうことができる。
【００４３】
上記の実施例では、外ハンドル６を９０度回動したときロック構造７がロック解除され、さらに外ハンドル６を９０度回動したとき錠構造を解錠できるようにしたが、外ハンドル６の全回動角は１８０度である必要はなく、任意の角度に設定できる。ロック構造７はカム機構によってロック軸６７を出し入れする必要はなく、単に押し引き操作してロック状態とロック解除状態とに切り換えて、各切り換え状態を位置保持できる構造であってもよい。変換機構は、ピニオン２０とラック２１で動作変換を行なう必要はなく、部分回動するレバーで回転運動を往復運動に変換することができる。ハンドル軸１２・３３およびロック軸６７は断面四角形である必要はなく、非円形断面であればよい。ハンドル装置は、窓２の縦枠以外の上枠あるいは下枠に組み込むことができる。上記の実施例では、窓２が建物内へ向かって開放揺動できる場合について説明したが、窓２は建物の外へ向かって開放揺動できるものであってもよい。
【００４４】
操作軸７４を切換具６４の外面側の端面から外面外方へ大きく突出させておき、外ハンドル６でロック構造７をロック解除した状態において、操作軸７４を鍵開口６９から突出させることができる。その場合には、操作軸７４が鍵開口６９から突出していることを視認することにより、外ハンドル６が開放方向へ操作されていることを知ることができる。上記の実施例では、ばね６３の張力が、節動突起７６と節動溝７７との係合力に比較して、弱めに設定してある場合について説明したが、先の係合力に比較してばね６３の張力が強く設定してある場合には、ロック軸６７が鍵開口６９の側へ退入する動作に連動して、カム筒６６をアンロック状態側へ回動させてリセットすることができる。
【００４５】
本発明のハンドル装置は、非常進入口に適用するのに好適であるが、養護施設内の建物と庭を隔てるドアのハンドル装置として適用してもよい。その場合には、施設利用者が誤って室外へ締め出された場合に、外ハンドルを操作して室外へ戻ることができる。また、メンテナンスなどによりドアを開放制限し、ドアの外部で作業を行なう際に閉じ込められてしまう危険性のある場所などにも適用することができる。
【図面の簡単な説明】
【００４６】
【図１】図２におけるＡ−Ａ線断面図である。
【図２】窓を室内側から見た状態の正面図である。
【図３】ハンドル装置の側面図である。
【図４】図３におけるＢ−Ｂ線断面図である。
【図５】変換機構の詳細構造を示す縦断正面図である。
【図６】外ハンドルの一部を破断した分解正面図である。
【図７】図１におけるＣ−Ｃ線断面図である。
【図８】図１におけるＤ−Ｄ線断面図である。
【図９】ロック構造の一部を破断した分解正面図である。
【図１０】ロック状態のロック構造を示す縦断側面図である。
【図１１】外ハンドルの前半および後半の回動動作を示す動作説明図である。
【図１２】鍵体によるロック解除動動作を示す動作説明図である。
【符号の説明】
【００４７】
１  開口枠
３  ベース
４  スライド枠
５  内ハンドル
６  外ハンドル
７  ロック構造
１２  ハンドル軸
１９  ホルダー
２０  ピニオン
２６  連結穴
２９  ハンドルレバー
３０  ハンドルケース
３１  ガイドボス
３２  カム筒
３３  ハンドル軸
３８  切欠
４０  カム溝
４６  受動ピン
４７  回止めピン
６０  ロックケース
６１  ボス
６３  ばね
６４  切換え具
６５  ガイドボス
６６  カム筒
６７  ロック軸
６８  鍵体
８１  ガイド溝
８３  カム溝
８８  受動ピン
８９  回止めピン
【図１】
2010047994.tif 000003
【図２】
2010047994.tif 000004
【図３】
2010047994.tif 000005
【図４】
2010047994.tif 000006
【図５】
2010047994.tif 000007
【図６】
2010047994.tif 000008
【図７】
2010047994.tif 000009
【図８】
2010047994.tif 000010
【図９】
2010047994.tif 000011
【図１０】
2010047994.tif 000012
【図１１】
2010047994.tif 000013
【図１２】
2010047994.tif 000014